(57)【要約】【課題】            輸送・保管の効率がよく、取付けもし易い雨水の侵入を防止できるウェザーカバーを得る。【解決手段】        換気用の通風路２の屋外開口端を通風可能に被蓋するウェザーカバーについて、その屋外開口端を被蓋するフード部３の下部に延出する筒形の開放通路４に、筒形の延長通路部材５を上下方向に伸縮可能に設ける。延長通路部材５の伸縮は駆動手段によって行うようにし、駆動手段を制御する制御部によって、雨量検知手段の雨検知出力に応じて駆動手段を動かし、延長通路部材５を伸縮させる。【選択図】          図１
2006038391.tif 000002
【特許請求の範囲】
【請求項１】
換気用の通風路の屋外開口端を通風可能に被蓋するウェザーカバーであって、前記屋外開口端を被蓋するフード部の下部に延出する筒形の開放通路に、筒形の延長通路部材を上下方向に伸縮可能に設けたウェザーカバー。
【請求項２】
請求項１に記載のウェザーカバーであって、延長通路部材の伸縮を駆動手段によって行うようにしたウェザーカバー。
【請求項３】
請求項１または請求項２のいずれかに記載のウェザーカバーであって、延長通路部材がフード部の開放通路の外側を摺動して伸縮するウェザーカバー。
【請求項４】
請求項１または請求項２のいずれかに記載のウェザーカバーであって、延長通路部材がフード部の開放通路の内側を摺動して伸縮するウェザーカバー。
【請求項５】
請求項２〜請求項４までのいずれかに記載のウェザーカバーであって、駆動手段を制御する制御部を備え、この制御部は雨量検知手段の雨検知出力によって駆動手段を動かし、延長通路部材を伸縮させる構成のウェザーカバー。
【請求項６】
請求項２〜請求項４までのいずれかに記載のウェザーカバーであって、駆動手段を制御する制御部を備え、この制御部は湿度センサーの出力によって駆動手段を動かし、延長通路部材を伸縮させる構成のウェザーカバー。
【発明の詳細な説明】
【技術分野】
【０００１】
本発明は、換気用の通風路の屋外開口端を通風可能に被蓋するウェザーカバーに関し、特に給気用の通風路の屋外開口端を通風可能に被蓋するウェザーカバーに関するものである。
【背景技術】
【０００２】
換気用の通風路の屋外開口端を通風可能に被蓋するウェザーカバーとしては、屋外開口端を被蓋するフード部の下部に筒形の開放通路を延出したものがある。開放通路は壁面から離反して設けられ、換気流で壁面が汚れないようになっている。なお、この種の従来技術としては、特許文献１に開示されているものがある。
【０００３】
【特許文献１】特開平１１−１４１１４号公報
【発明の開示】
【発明が解決しようとする課題】
【０００４】
上記この種の従来のウェザーカバーは、標準的なものを給気用の通風路の屋外開口端に取付けた場合、雨天のときに吸込み空気とともに雨水が屋内に吸込まれることがある。開放通路を長くすることにより、雨水の屋内への侵入は防止できるが、包装が大きくなり、取付けにおいても壁面とのコーキングがし難くなる。また、圧損も高くなり、換気扇への悪影響もあるうえ、特に大型のものでは著しく外観性が損なわれるといった問題が生じる。
【０００５】
本発明は、上記した課題を解決するためになされたものであり、その目的とするところは、輸送・保管の効率がよく、取付けもし易い雨水の侵入を防止できるウェザーカバーを提供することである。
【課題を解決するための手段】
【０００６】
上記課題を解決するために本発明は、換気用の通風路の屋外開口端を通風可能に被蓋するウェザーカバーについて、その屋外開口端を被蓋するフード部の下部に延出する筒形の開放通路に、筒形の延長通路部材を上下方向に伸縮可能に設ける手段を採用する。
【発明の効果】
【０００７】
本発明によれば、延長通路部材を縮めた状態で包装でき、輸送・保管の効率がよい。取付けに際しても、縮めた状態でコーキングできるので作業し易く、雨天の場合には延長通路部材を伸長させることにより雨水の屋内への侵入を防止でき、雨天でないときは縮めておくことで、外観性を損なわずに済む。
【発明を実施するための最良の形態】
【０００８】
本発明のウェザーカバーは、換気用の通風路の屋外開口端を通風可能に被蓋するものであり、屋外開口端を被蓋するフード部の下部に延出する筒形の開放通路を備えている。開放通路には筒形の延長通路部材が上下方向に伸縮可能に設けられている。延長通路部材の伸縮は、駆動手段としてのギヤードモータによって行なわれる。
【０００９】
このウェザーカバーは、延長通路部材を縮めた嵩の小さい状態で包装でき、輸送・保管の効率がよい。取付けに際しても、縮めた状態でコーキングできるので作業し易く、雨天の場合にはギヤードモータを動かして延長通路部材を伸長させることにより雨水の屋内への侵入を防止できる。雨天でないときは延長通路部材を縮めておくことで、外観性を損なわずに済む。
【００１０】
実施の形態１．
図１は、本実施の形態のウェザーカバーの縮小状態の断面図、図２は、同じくウェザーカバーの伸長状態の断面図、図３は、他の駆動手段によるウェザーカバーを示す断面図、図４は、他のウェザーカバーの断面図である。このウェザーカバーは、給気用の換気扇１が設けられた通風路２の屋外開口端を通風可能に被蓋するものであり、屋外開口端を被蓋するフード部３の下部に延出する角筒状の開放通路４を備えている。開放通路４には同じく角筒状の延長通路部材５が上下方向に伸縮可能に、雨水の侵入を阻むために内嵌めされている。延長通路部材５は、ワイヤー６で吊られ、フード部３に設けられたギヤードモータ７とワイヤー６による駆動手段によって、ワイヤー６が緩められ、巻取られることによって行われる。ギヤードモータ７への電源は、屋内に配置されたスイッチのオン操作によって供給される。なお、延長通路部材５を開放通路４に図４のように外嵌めに構成してもよい。この外嵌めの構造を採用することにより延長通路部材５の開口端の吸込み面積を大きくできるので、吸込み風速を下げて、雨水の吸込み防止効果を上げることができる。
【００１１】
このウェザーカバーは、延長通路部材５を縮小させた嵩の小さい状態で包装でき、輸送・保管の効率がよい。取付けに際しても、縮小状態で壁面との取付部分８をコーキングできるので扱い易く作業し易い。雨天の場合には屋内からのスイッチ操作によりギヤードモータ７を動かして延長通路部材５を自重で伸長させることにより雨水の屋内への侵入を防止できる。雨天でないときは延長通路部材５をギヤードモータ７によりワイヤー６を巻き上げて縮小させておくことで、外観性を損なわずに済む。
【００１２】
駆動手段としては、モータとピニオン、延長通路部材５に縦方向に設けたラックとで構成しても良く、また、図３のようにパンタグラフ構造のリンク９をモータに付けたネジ棒１０を回して上げ下げするように構成してもよい。
【００１３】
実施の形態２．
図５と図６によって示す本実施の形態のウェザーカバーは、自動的に延長通路部材が伸縮するようにしたものであり、それに係る構成以外は、実施の形態１と同じである。従って、実施の形態１と同じ部分については、実施の形態１のものと同じ符号を用い、それらについての説明は省略する。
【００１４】
図５に示すようにこのウェザーカバーは、駆動手段を制御する制御部１１を備え、この制御部１１は、ウェザーカバーから離れた位置に設置された雨量検知手段１２や感雨機等の雨検知出力によって駆動手段を動かし、延長通路部材５を伸縮させる構成である。雨量検知手段１２としては、ある一定の雨水が溜まると倒れて雨水が排水され、排水されるとウエイトバランスにより起立するようなものでよい。制御部１１は、雨量判定部１３で雨量を判定する。即ち、図６のフローチャートのステップ♯１で雨量検知手段１２が一定時間起立しているか否かを判定し、一定時間起立していれば、雨降りではないとしてステップ♯５へ進む。また、雨量検知手段１２が倒伏すれば、降雨ありとしてステップ♯２へ進む。ステップ♯２では延長通路部材５の位置を判定する位置判定手段１４により、延長通路部材５が最下位にあるかどうかの判定を行う。最下位でなければステップ♯３に進み、ステップ♯３で駆動手段により延長通路部材５を最下位まで動かし、ステップ♯２へ戻る。ステップ♯２で最下位にあれば、ステップ♯４に進み駆動手段を停止する処理をしてステップ♯１へ戻る。
【００１５】
ステップ♯５では、延長通路部材５の位置を判定する位置判定手段１４により、延長通路部材５が最上位にあるかどうかの判定を行う。最上位でなければステップ♯６に進み、ステップ♯６で駆動手段により最上位まで動かし、ステップ♯５へ戻る。ステップ♯５で最上位にあれば、ステップ♯７に進み駆動手段を停止する処理をしてステップ♯１へ戻る。これにより、自動的に延長通路部材５が伸縮し、雨水の屋内への侵入を防止することができる。
【００１６】
また、雨量検知手段１２に代え、湿度センサーの検知出力を制御部１１に取り込み、上記制御シーケンスと同様に湿度がある値を超えたときに、駆動手段により延長通路部材５を伸長するようにすることによっても、自動運転させることができる。湿度センサーによる湿度の検知による方式は、直接雨量を検知するわけではないので、正確性はやや劣ることになるものの構成は簡易である。
【００１７】
実施の形態３．
図７によって示す本実施の形態のウェザーカバーは、手動で延長通路部材を伸縮させるようにしたものであり、それに係る構成以外は、実施の形態１と同じである。従って、実施の形態１と同じ部分については、実施の形態１のものと同じ符号を用い、それらについての説明は省略する。
【００１８】
このウェザーカバーは、手の届く低所に設けられるもので、延長通路部材５が手動で伸縮できるようになっている。延長通路部材５の下端には外側に張出すフランジ１５を備え、上端には対向側に突出した突出部１６を備えている。開放通路４の突出部１６に対応する位置には縦方向に溝１７が設けられている。溝１７の上端には係止バネ１８が取付けられている。延長通路部材５は、係止バネ１８から溝１７の下端までの間を摺動できるようになっている。雨天でないときは、突出部１６が係止バネ１８に止まるところまで延長通路部材５を押上げておく。雨天の時には延長通路部材５を引き下げ、係止バネ１８から突出部１６を外し、突出部１６が溝１７の下端に当る位置まで延長通路部材５を引出して使用する。この構成を採用することにより、低所で設置数の少ないウェザーカバーとして対応でき、構成が簡素で低コストなものとなる。これ以外の機能は実施の形態１のものと同じである。
【図面の簡単な説明】
【００１９】
【図１】ウェザーカバーの縮小状態の断面図である。（実施の形態１）
【図２】ウェザーカバーの伸長状態の断面図である。（実施の形態１）
【図３】他の駆動手段によるウェザーカバーを示す断面図である。（実施の形態１）
【図４】他のウェザーカバーの伸長状態の断面図である。（実施の形態１）
【図５】ウェザーカバーの制御部のブロック構成図である。（実施の形態２）
【図６】制御部の制御シーケンスを示すフローチャートである。（実施の形態２）
【図７】ウェザーカバー要部の断面図である。（実施の形態３）
【符号の説明】
【００２０】
２  通風路、  ３  フード部、  ４  開放通路、  ５  延長通路部材、  ６  ワイヤー、  ７  ギヤードモータ、  １１  制御部、  １２  雨量検知手段。
【図１】
2006038391.tif 000003
【図２】
2006038391.tif 000004
【図３】
2006038391.tif 000005
【図４】
2006038391.tif 000006
【図５】
2006038391.tif 000007
【図６】
2006038391.tif 000008
【図７】
2006038391.tif 000009